(57)【要約】【課題】ブラシをほうきの取付具に簡単に且つワンタッチ方式で組付け可能なほうきのブラシ取付具を提供する。【解決手段】ほうきのブラシ取付具は、内部にブラシ３２が途中で折り返された状態で収容される空間部３１ａを有し、上部には柄３３が固着されるベースフレーム３１と、前記ベースフレーム３１の空間部３１ａにブラシ３２が折り返された状態で収容されるようにする固定部材３４と、前記ベースフレーム３１に固定部材３４が係止されるようにする係止手段とを備える。【選択図】図３
2010162108.tif 000002
【特許請求の範囲】
【請求項１】
内部にブラシ（３２）が途中で折り返された状態で収容される空間部（３１ａ）を有し、上部には柄（３３）が固着されるベースフレーム（３１）と、前記ベースフレーム（３１）の前記空間部（３１ａ）に前記ブラシ（３２）が折り返された状態で収容されるようにする固定部材（３４）と、前記ベースフレーム（３１）に前記固定部材（３４）が係止されるようにする係止手段とを備えることを特徴とするほうきのブラシ取付具。
【請求項２】
前記係止手段は、前記空間部（３１ａ）の上面に水平方向に隔壁（３５）を形成して前記隔壁（３５）に係止孔（３６）を穿設し、前記固定部材（３４）には前記係止孔（３６）に係止されるフック（３７）を形成してなることを特徴とする請求項１に記載のほうきのブラシ取付具。
【請求項３】
前記係止手段は、前記空間部（３１ａ）の両側端に係止孔（３６ａ）を穿設し、前記固定部材（３４）の両側端には前記係止孔（３６ａ）に係止されるフック（３７ａ）を形成してなることを特徴とする請求項１に記載のほうきのブラシ取付具。
【請求項４】
前記固定部材（３４）の両側端には、折り返された状態で掛けられる前記ブラシ（３２）の離脱を防止する抜け止め棒（３８）が形成されていることを特徴とする請求項２に記載のほうきのブラシ取付具。
【請求項５】
前記固定部材（３４）の両面に、前記ブラシ（３２）を均一に分布させるための分割突起（３９）が突設されていることを特徴とする請求項１または２に記載のほうきのブラシ取付具。
【請求項６】
前記ベースフレーム（３１）に設けられる前記空間部（３１ａ）を上狭下広の漏斗状にし、前記固定部材（３４）の両面には前記分割突起（３９）を相互対称をなす斜め方向に形成してなることを特徴とする請求項５に記載のほうきのブラシ取付具。
【請求項７】
前記固定部材（３４）に折り返された状態で包まれる前記ブラシ（３２）には、細ブラシ（３２ａ）及び太ブラシ（３２ｂ）が混在していることを特徴とする請求項１に記載のほうきのブラシ取付具。
【発明の詳細な説明】
【技術分野】
【０００１】
本発明は、例えば、路上はもとより、ターミナル、駅、公園などの公共場所を清掃するのに使用するほうきに係り、さらに詳しくは、床面を掃くブラシをほうきの取付具に簡単に且つワンタッチ方式で組付け可能なほうきのブラシ取付具に関する。
【背景技術】
【０００２】
一般に、路上はもとより、ターミナル、駅、公園などの公共場所を清掃するための種々のほうきが使用されている。
【０００３】
通常、ほうきは、部屋の床面や路上などのゴミなどを掃き集めてきれいに清掃する道具である。
【０００４】
かようなほうきとしては、昔から多数の葦や萩茎、高粱茎などの細長い植物性材料を編み上げて製作したものが使用されているが、最近は、合成樹脂材や馬尾などのブラシを取付具に植設して製作したものも使用されている。
【０００５】
図１は、従来のほうきの一般的な形態を示す斜視図である。この形態では、所定の長さを有する棒状の柄１の下端に、合成樹脂材製または馬尾製のブラシ３が多数植設された取付具２が固定されており、前記柄１の上端には取っ手４が固定されている。
【０００６】
これに対し、ブラシを植設以外の方法で取り付けるようにしたほうきが知られている。この種のほうきは、図２に示されているように、取付具２０の上側に取っ手２６が設けられた柄２４が嵌合され、取付具２０の下側にブラシ固定部１０がボルトとナットにより固定され、ブラシ固定部１０の底面に形成された開口部には途中部位を折り返したブラシ１１がはめ込まれてボルトＢとナットＮにより固定される。
【０００７】
これらのほうきは、柄１、２４を把持した状態において、ブラシ３、１１を用いて床面や路上のゴミを掃きながら清掃をすることができる。
【発明の概要】
【発明が解決しようとする課題】
【０００８】
しかしながら、図２に示すような構造を有するほうきには、下記の如き不都合がある。
【０００９】
第一に、取付具にブラシを固定する過程において途中部位を折り返したブラシを取付具の開口部に入れた後で、ボルト及びナットを用いてブラシを固定しているため、ブラシの固定作業が煩雑である。
【００１０】
第二に、取付具にボルト及びナットを用いてブラシを強固に固定したとしても、繰り返し使用によりボルトとナットとの結合が緩むことによりブラシが取付具から抜け出てしまうという致命的な欠陥がある。
【００１１】
第三に、多数本のブラシの途中部位を折り返した後、折り返した個所にボルトを通してナットにより固定していたため、ブラシが取付具において揃った状態を維持することができず、均一な清掃作業を行う上で限界がある。
【００１２】
第四に、定まった空間（取付具の開口部）にブラシの途中部位が折り返されて嵌め込まれた状態において、折り返された途中部位にボルトを通さなければならなかったため、ブラシを固定する作業が容易ではなかった。
【００１３】
本発明は上記の従来の問題点を解消するためになされたものであり、その目的は、取付具の構造を大幅に改善して、途中部位が折り返された多数本のブラシをワンタッチ方式によりブラシが取付具において揃った状態で固定することのできるほうきのブラシ取付具を提供するところにある。
【課題を解決するための手段】
【００１４】
上記の目的を達成するため、本発明によれば、内部にブラシが途中で折り返された状態で収容される空間部を有し、上部には柄が固着されるベースフレームと、前記ベースフレームの前記空間部に前記ブラシが折り返された状態で収容されるようにする固定部材と、前記ベースフレームに前記固定部材が係止されるようにする係止手段とを備えることを特徴とするほうきのブラシ取付具が提供される。
【００１５】
本発明において、前記係止手段は、前記空間部の上面に水平方向に隔壁を形成して前記隔壁に係止孔を穿設し、前記空間部に前記ブラシが折り返された状態で収容されるようにする前記固定部材には、前記係止孔に係止されるフックを形成してなることが好ましい。
【００１６】
また、前記係止手段は、前記空間部の両側端に係止孔を穿設し、前記空間部に前記ブラシが折り返された状態で収容されるようにする前記固定部材の両側端には前記係止孔に係止されるフックを形成してなることが好ましい。
【００１７】
前記固定部材の両側端には、折り返された状態で掛けられる前記ブラシの離脱を防止する抜け止め棒が形成されることが好ましい。
【００１８】
前記固定部材の両面には、前記ブラシを均一に分布させるための分割突起が設けられることが好ましい。
【００１９】
この場合、前記ベースフレームに設けられる前記空間部を上狭下広の漏斗状にし、前記固定部材の両面には前記分割突起を相互対称をなす斜め方向に形成することが好ましい。
【００２０】
あるいは、前記固定部材を折り返された状態で包む前記ブラシは、細ブラシ及び太ブラシを混在してなることが好ましい。
【発明の効果】
【００２１】
本発明のほうきの取付具は、従来のほうきの取付具に比べて、次のような効果を奏する。
【００２２】
先ず、取付具にブラシを固定する過程において途中部位を折り返したブラシで固定部材を包んだ後、これをベースフレームの空間部に押し込めばよいことから、ブラシがワンタッチ方式で取付具に固定され、その結果、ブラシの固定による作業が簡単になる。
【００２３】
本発明において、係止孔と係止孔に係止されるフックとを用いてブラシを取付具に固定する場合には、従来のようにボルト及びナットを用いないことから、取付具にブラシが固定された状態においてベースフレームからブラシが動かず、ほうきを使用する過程においてブラシが取付具から抜け出るという現象を未然に防ぐことができる。
【００２４】
また、固定部材の両側端に抜け止め棒を形成した場合には、ブラシをベースフレームに固定する過程においてブラシが固定部材から離脱しなくなる。
【００２５】
固定部材の両面に分割突起を設けた場合には、当該分割突起によりブラシが四方に均一に分布されて揃った状態を維持することから、均一な清掃作業が可能になる。
【００２６】
ブラシとして太ブラシと細ブラシが混在させた場合には、濡れた床面はもとより、石や雪の清掃が容易になり、また、ほうきを立てておくとしても、太ブラシが柄の荷重を支えることから、ブラシの変形を防ぐことができる。
【図面の簡単な説明】
【００２７】
【図１】従来のほうきの一実施形態を示す斜視図。
【図２】従来のほうきの他の実施形態を示す斜視図。
【図３】本発明の一実施形態を示す分解斜視図。
【図４】図３の結合状態斜視図。
【図５】図４の縦断面図。
【図６】本発明の他の実施形態を示す縦断面図。
【発明を実施するための形態】
【００２８】
以下、図３から図５に基づき、本発明の一実施形態によるほうきのブラシ取付具を詳述する。
【００２９】
図３から図５を参照すると、本実施形態は、ベースフレーム３１の内部にブラシ３２が途中で折り返された状態で収容される空間部３１ａが設けられ、上部には柄３３が固着される結合部３１ｂが形成されている。また、前記ベースフレーム３１に設けられた空間部３１ａには固定部材３４にブラシ３２が折り返された状態で係止手段により係止されることにより、ブラシ３２がベースフレーム３１にワンタッチ方式により固定されるようになっている。
【００３０】
本実施形態においては、前記係止手段は、固定部材３４がベースフレーム３１に係止され固定部材３４に包まれたブラシ３２が支持されるワンタッチ方式の構造を有しているが、他のいかなる構造を有してもよい。
【００３１】
本発明の一実施形態を示す図３から図５においては、前記係止手段は、ベースフレーム３１に設けられた空間部３１ａの上面に水平方向に隔壁３５を形成して前記隔壁３５に係止孔３６を穿設し、前記空間部３１ａにブラシ３２が折り返された状態で収容されるようにする固定部材３４には前記係止孔３６に係止されるフック３７を形成することにより構成されている。
【００３２】
或いは、本発明の他の実施形態として図６に示すように、ベースフレーム３１に設けられた空間部３１ａの両側端に係止孔３６ａを穿設し、前記空間部３１ａにブラシ３２が折り返された状態で収容されるようにする固定部材３４の両側端には前記係止孔３６ａに係止されるフック３７ａを形成して、係止手段を構成してもよい。
【００３３】
これらのほかにも、ワンタッチ方式を利用する種々の形態により係止手段を構成することが可能である。
【００３４】
また、前記固定部材３４の両側端には、ブラシ３２を折り返された状態で包んでベースフレーム３１に設けられた空間部３１ａの内部に押し込んで係止手段により固定する過程において、ブラシ３２が固定部材３４の両端から押され出るような現象を防ぐための抜け止め棒３８が形成されている。
【００３５】
さらに、前記固定部材３４の両面には、ブラシ３２を均一に分布させるための分割突起３９が設けられている。そして、前記ベースフレーム３１に設けられる空間部３１ａが上狭下広の漏斗状に形成され、固定部材３４の両面に設けられる分割突起３９も相互対称をなす斜め方向に突設されている。
【００３６】
このため、固定部材３４を包んだ状態でベースフレーム３１の空間部３１ａに固定されるブラシ３２が均一な状態で分布されると共に、分割突起３９により下方に進むにつれて拡開された状態に維持されることになる。
【００３７】
前記固定部材３４を折り返された状態で包むブラシ３２を細ブラシ３２ａ及び太ブラシ３２ｂが混在するように構成すれば、細ブラシのみを備えるほうきと太ブラシのみを備えるほうきのメリットを同時に発揮することが可能になる。
【００３８】
すなわち、細ブラシ３２ａによりホコリなどの微細なゴミが清掃可能であり、且つ、太ブラシ３２ｂにより塗れた床面の紙または石などの重いゴミが清掃可能になり、ほうきを使用後に壁面に垂直状態で持たせかけるとしても、太ブラシ３２ｂが柄の荷重を支えることから、細ブラシ３２ａが折れ曲がるような現象を未然に防ぐことが可能になる。
【００３９】
以下、ベースフレーム３１に設けられた空間部３１ａにブラシ３２を固定する過程について詳述する。
【００４０】
先ず、ベースフレーム３１に設けられた空間部３１ａにブラシ３２を固定するためには、細ブラシ３２ａまたは太ブラシ３２ｂの途中を折り返して固定部材３４を包んだり、或いは、細ブラシ３２ａと太ブラシ３２ｂを適切な割合で混ぜて固定部材３４を包む。
【００４１】
このようにブラシ３２の途中部位を折り返して固定部材３４を包むと、固定部材３４の両面に突設された分割突起３９によりブラシ３２が固定部材３４に均一に分布されると共に、固定部材３４の両端に形成された抜け止め棒３８によりブラシ３２が固定部材３４から離脱しなくなる。
【００４２】
この状態において、固定部材３４をブラシ３２で包んだ後、これをベースフレーム３１に設けられた空間部３１ａに向かって押し込むと、固定部材３４に形成されたフック３７が隔壁３５に穿設された係止孔３６を通過して引っ掛かりながら固定部材３４を支持するため、ベースフレーム３１から固定部材３４が離脱することなく強固に固定された状態を維持することになる。
【００４３】
これにより、固定部材３４の両面を包んだブラシ３２が分割突起３９により四方に拡開された状態に維持され、しかも、ブラシ３２が固定部材３４から動かなくなることから、ほうきを使用する過程においてブラシ３２が取付具から離脱しなくなる。
【００４４】
一方、本発明において、ブラシ３２を細ブラシ３２ａ及び太ブラシ３２ｂが混在するように構成すれば、２種類のブラシのメリットを併せ持つことから、単一のほうきを種々の用途で使用することが可能になるというメリットもある。
【００４５】
以上、本発明の技術的思想を好適な実施形態に基づいて説明したが、本発明は、これらの実施形態に限定されるものではなく、本発明の技術的思想の範囲内で種々変形して実施できるものである。
【符号の説明】
【００４６】
３１：ベースフレーム、
３１ａ：空間部、
３２：ブラシ、
３４：固定部材、
３６、３６ａ：係止孔、
３７、３７ａ：フック、
３８：抜け止め棒、
３９：分割突起、
【図１】
2010162108.tif 000003
【図２】
2010162108.tif 000004
【図３】
2010162108.tif 000005
【図４】
2010162108.tif 000006
【図５】
2010162108.tif 000007
【図６】
2010162108.tif 000008